(57)【特許請求の範囲】
【請求項１】
画像からデジタル画像情報に基づく画像を作成するデジタル画像情報作成手段と、
前記画像中の指定領域を指定する指定手段と、
前記指定領域に対応する領域部分の画素密度を粗に変更、及び空間周波数特性の高域カット処理の少なくとも一方を、予め定められた調整条件に従って調整する画像調整手段と、
前記デジタル画像情報に基づいて感光材料上の焼付画像を作成する画像焼付手段と、
を有する画像焼付装置。
【請求項２】
画素毎に電気的に制御可能な画像表示面を備えた画像表示手段と、前記デジタル画像情報作成手段によって作成されたデジタル画像情報に基づく画像を前記画像表示面上にシミュレート画像として表示する画像形成手段と、を有し、
前記画像表示面の画素と前記画像焼付手段の画素とが対応付けられること、
を特徴とする請求項１記載の画像焼付装置。
【請求項３】
前記調整条件としてデジタル画像の縦又は横方向にアスペクト比を拡大、又は縮小するアスペクト比変更値を用いることを特徴とする請求項１又は請求項２記載の画像焼付装置。
【請求項４】
前記デジタル画像情報作成手段によって作成されたデジタル画像情報に基づく画像から人物の顔を自動的に抽出し、得られた顔形状データに基づきアスペクト比を調整することを特徴とする請求項３記載の画像焼付装置。
【請求項５】
画像からデジタル画像情報に基づく画像を作成し、前記デジタル画像情報に基づいて感光材料上に焼付画像を作成する画像焼付方法であって、
前記画像中の指定領域を指定し、
前記指定領域に対応した部分の画素密度を粗に変更、及び空間周波数特性の高域カット処理の少なくとも一方を、予め定められた調整条件に従って調整し、
調整後のデジタル画像情報に基づいて感光材料上に焼付画像を形成すること、
を含む画像焼付方法。
【請求項６】
前記画像中の指定領域に人物の顔部分があるか否かを判別し、顔部分がある場合には、該当する指定領域内の顔部分の画素密度及び空間周波数特性の少なくとも一方を低下させることを含むことを特徴とする請求項５記載の画像焼付方法。
【発明の詳細な説明】
【０００１】
【発明の属する技術分野】
本発明は、画像焼付装置及び画像焼付方法に関し、特に、フィルムに記録された画像から形成されたデジタル画像を焼付けする画像焼付装置及び画像焼付方法に関する。
【０００２】
【従来の技術】
従来、写真フィルムに画像を焼付けすると、現像処理によって、焼付けされた画像に忠実な、即ち、被写体に忠実な画像が記録されたプリントを得ることができる。
【０００３】
ところで、顧客によっては、写真フィルムに記録された画像に忠実なプリントではなく、わずかな変更例えば縦横のいずれかの倍率をわずかに変更すること等を希望することがある。これは、露光光軸上に、所定の倍率で縦横のいずれかを変更することができるシリンドリカルレンズを配置させて写真フィルム上の画像を感光材料上に焼付けすれば、達成することができる。
【０００４】
【発明が解決しようとする課題】
しかし、変更する方向が常に同じ方向であるとは限らず、また、所望される変更倍率も一定でない場合には、装置に複雑なレンズ構成を配置させることとなり、装置の小型化を図ることができない。また、倍率の変更の他に部分的に鮮明度を変更することが所望される場合もあるが、部分的な処理は上記レンズ系を設けることによっては非常に困難である。
【０００５】
本発明は上記事実を考慮して成されたもので、写真フィルムに記録された画像に対して所望される調整処理を簡便に行うことができる画像焼付装置及び画像焼付方法を提供することを目的とする。
【０００６】
【課題を解決するための手段】
請求項１記載の画像焼付装置は、画像からデジタル画像情報に基づく画像を作成するデジタル画像情報作成手段と、前記画像中の指定領域を指定する指定手段と、前記指定領域に対応する領域部分の画素密度を粗に変更、及び空間周波数特性の高域カット処理の少なくとも一方を、予め定められた調整条件に従って調整する画像調整手段と、前記デジタル画像情報に基づいて感光材料上の焼付画像を作成する画像焼付手段と、を有していることを特徴としている。
【０００７】
請求項１記載の発明によれば、画像調整手段によって、指定された領域の画像に対して予め定められた調整条件に従った調整を行うので、デジタル画像情報作成手段で作成されたデジタル画像情報に基づく画像から、画素密度を粗に変更、及び空間周波数特性の高域カット処理の少なくとも一方が調整された画像を簡便に且つ自動的に感光材料に焼付けすることができる。感光材料上に焼付けされて得られた画像は、例えば、画素密度を部分的に粗に変更して実際とは体格が異なる画像とし、ダイエットやウェイトトレーニング等の目標として利用することができる。これにより、複雑な装置構成を必要とせずに、デジタル画像情報作成手段で作成されたデジタル画像情報に基づく画像から、所望されるように調整された画像を簡便に得ることができる。
【０００８】
調整を行う領域の範囲は、調整値に基づいて指定され、デジタル画像の全領域を指定してもよく、一部の領域を指定してもよい。例えば、デジタル画像の全領域の縦又は横の一方向のみに対して画素密度を粗に変更する調整条件の場合には、全領域が指定されて、全体的に縦又は横の一方向のみ画素密度が粗に変更され、ぼかした画像を得ることができる。
また、例えば、デジタル画像の一部の領域の空間周波数特性の高域カット処理をする調整条件の場合には、一部の領域が指定されて、部分的に空間周波数特性が実際とは異なる画像を得ることができる。これにより、顧客の要求に対応して全体的に又は部分的に調整処理が行われた画像を簡便に得ることができる。
【０００９】
請求項２記載の画像焼付装置は、請求項１において、画素毎に電気的に制御可能な画像表示面を備えた画像表示手段と、前記デジタル画像情報作成手段によって作成されたデジタル画像情報に基づく画像を前記画像表示面上にシミュレート画像として表示する画像形成手段と、を有し、前記画像表示面の画素と前記画像焼付手段の画素とが対応付けられること、を特徴としている。
【００１０】
請求項２の発明によれば、画像表示手段（例えば、ＬＣＤ、ＣＲＴ等）の画像表示面に画像形成手段によって調整画像が表示画像として表示されるので、調整後の画像を簡便に感光材料に焼付けすることができる。ここで、画像表示面の画像は、画素を電気的に制御することによる光透過状態に基づいて画像表示面に表示される。これにより、調整後のデジタル画像を、素子の光透過状態を制御することによって容易に画像表示面に表示して、簡便に感光材料上に焼付けすることができる。
【００１１】
請求項３記載の画像焼付装置は、請求項１又は請求項２において、前記調整条件としてデジタル画像の縦又は横方向にアスペクト比を拡大、又は縮小するアスペクト比変更値を用いることを特徴としている。
【００１２】
請求項３の発明によれば、画像調整手段がアスペクト比変更値に基づいて画像を調整するので、デジタル画像情報作成手段で作成されたデジタル画像情報に基づく画像から形成されたデジタル画像とアスペクト比のみが異なる画像を自動的に感光材料に焼付けすることができる。ここで適用されるアスペクト比変更値は、アスペクト比を、例えば数％程度変更する程度のものであり、デジタル画像情報作成手段で作成されたデジタル画像情報に基づく画像を大幅に変更しないようにすることができる。アスペクト比変更値は、デジタル画像の縦又は横方向に隣接する画素間の距離を変更する値として設定され、容易にアスペクト比を変更することができる。ここで、アスペクト比変更値を用いた調整処理は、デジタル画像の全領域を指定して行ってもよく、一部の領域を指定して行ってもよい。全領域を指定した場合には、デジタル画像情報作成手段で作成されたデジタル画像情報に基づく画像全体のアスペクト比を自動的に変更することができる。一方、例えば横方向に縮小させるアスペクト比変更値を用いてデジタル画像情報作成手段で作成されたデジタル画像情報に基づく画像と同一のアスペクト比の画像を形成するために、デジタル画像の一部の領域を指定してもよい。これにより、デジタル画像情報作成手段で作成されたデジタル画像情報に基づく画像から縦又は横方向に拡大又は縮小された画像を容易に得ることができる。
【００１３】
請求項４記載の画像焼付装置は、請求項３において、前記デジタル画像情報作成手段によって作成されたデジタル画像情報に基づく画像から人物の顔を自動的に抽出し、得られた顔形状データに基づきアスペクト比を調整することを特徴としている。
【００１４】
請求項４記載の発明によれば、デジタル画像情報作成手段で作成されたデジタル画像情報に基づく画像から顔部分を自動的に抽出した後に、アスペクト比変更値を適用して画像の調整を行うので、顔部分を指標としてアスペクト比変更値を適用する方向を容易に且つ自動的に決定することができる。これにより、デジタル画像から適切な方向にアスペクト比を変更することを自動的に行い、容易にアスペクト比が変更された画像を得ることができる。
【００１５】
請求項５記載の画像焼付方法は、画像からデジタル画像情報に基づく画像を作成し、前記デジタル画像情報に基づいて感光材料上に焼付画像を作成する画像焼付方法であって、前記画像中の指定領域を指定し、前記指定領域に対応した部分の画素密度を粗に変更、及び空間周波数特性の高域カット処理の少なくとも一方を、予め定められた調整条件に従って調整し、調整後のデジタル画像情報に基づいて感光材料上に焼付画像を形成すること、を含むことを特徴としている。
【００１６】
請求項５記載の発明によれば、デジタル画像情報作成手段で作成されたデジタル画像情報に基づく画像における指定された領域の画像に対して予め設定された調整条件を用いて調整し、調整後のデジタル画像情報に基づく画像から、画素密度を粗に変更、及び空間周波数特性の高域カット処理の少なくとも一方が調整された画像を自動的に且つ容易に感光材料に焼付けすることができる。これにより、複雑な装置構成を必要とせずにデジタル画像情報作成手段で作成されたデジタル画像情報に基づく画像から、特定の部分の画素密度を粗に変更、及び空間周波数特性の高域カット処理の少なくとも一方が調整された画像を簡便に得ることができる。
【００１７】
請求項６記載の画像焼付装置は、請求項５において、前記画像中の指定領域に人物の顔部分があるか否かを判別し、顔部分がある場合には、該当する指定領域内の顔部分の画素密度及び空間周波数特性の少なくとも一方を低下させることを含むことを特徴としている。
【００１８】
請求項６記載の発明によれば、指定領域中に人物の顔部分がある場合に、自動的に顔部分を調整することができる。これにより、この顔部分に該当する特定の領域の画素密度及び空間周波数特性の少なくとも一方を低くしてぼかしを加えた画像にすることができ、例えば、しわ、肌荒れ等を目立たなくすることができる。
【００１９】
【発明の実施の形態】
以下に図面を参照して、本発明の実施の形態を詳細に説明する。
【００２０】
図２には、画像焼付装置１０に適用可能なネガフィルム１２が示されている。ネガフィルム１２は、長手方向に沿って所定間隔で画像が記録された多数の画像コマ１２Ａが設けられている。ネガフィルム１２の幅方向の所定の一端に各画像コマ１２Ａの位置に対応してパーフォレーション１４が形成されており、これによりネガフィルム１２の表裏及び画像コマ１２Ａの位置を判別することができるようになっている。パーフォレーション１４の間で画像コマ１２Ａに隣接する位置には、磁気情報が記録される磁気トラック１６が設けられている。磁気トラック１６には、各画像コマ１２Ａに記録された画像の撮影時の情報、プリント処理を行うときのプリントサイズ、露光条件等の種々の情報が記録可能となっている。
【００２１】
ネガフィルム１２は、通常、カートリッジ１８に収容されている。このため、ネガフィルム１２の画像コマ１２Ａに対して画像読取処理及び画像焼付処理を行う際には、カートリッジ１８から引き出した状態で又は引き出した後にカートリッジ１８から分離して用いられるようになっている。
【００２２】
画像焼付装置１０には、プリント部２０が配設されている。プリント部２０には、ランプ及びリフレクタにより構成される光源２２が備えられている。光源２２から照射される光源の焼付光軸Ｌ上に、Ｒ（レッド）、Ｇ（グリーン）、Ｂ（ブルー）の各色の色分解フィルタ２４が配設されている。これらの各色分解フィルタ２４は、ドライバ２６からの信号に応じて、光軸Ｌ上へ挿入又は離脱するようになっている。
【００２３】
色分解フィルタ２４の下方の焼付光軸Ｌには、画像表示手段としての液晶パネル２８が設けられている。液晶パネル２８は、液晶パネル２８を駆動する液晶パネルドライバ３０を介して、コントローラ３２に接続されている。液晶パネルドライバ３０は、コントローラ３２の指示に従って、液晶パネル２８を構成する各液晶素子の光透過状態を制御するようになっている。
【００２４】
液晶パネル２８の下方の焼付光軸Ｌには、焼付用のレンズ３４を挟んでブラックシャッタ３６が配置されている。ブラックシャッタ３６は、ドライバ３８からの駆動信号に応じて開閉し、焼付光軸Ｌ上の光を通過又は遮断するようになっている。また、レンズ３４は、ズームレンズになっており、これにより引伸倍率を変更することができる。
【００２５】
ブラックシャッタ３６の下方であって焼付光軸Ｌの最下方には、印画紙４０が印画紙搬送部４２によって位置決めされている。印画紙４０の一端は、図示されていない回転軸に層状に巻き取られている。
【００２６】
これにより、液晶パネル２８上に表示された画像が光源２２からの光で照射されると、レンズ３４を介して、印画紙４０上に結像するようになっている。
【００２７】
コントローラ３２には、画像読取部４４に接続されたネガ画像記憶部４６が接続されている。
【００２８】
画像読取部４４には、図示しない画像読取手段としてのＣＣＤセンサが備えられており、ネガフィルム１２の画像コマ１２Ａに記録された画像を読み取るようになっている。読み取られた画像情報は、ＣＣＤセンサの解像度に依存したデジタル画像情報としてネガ画像記憶部４６に送られるようになっている。
【００２９】
また、画像読取部４４には、図示しない磁気情報読取手段としての磁気ヘッドが備えられており、ネガフィルム１２の磁気トラック１６に記録された磁気情報が読み取られるようになっている。磁気ヘッドは画像読取部４４における図示しないフィルム搬送路のネガフィルム１２の磁気トラック１６の配設部分に対応して配設されており、ネガフィルム１２がフィルム搬送路を搬送することによって磁気トラック１６に磁気ヘッドが摺接し、磁気情報が読み取られるようになっている。ここで、読み取られる磁気情報には、画像サイズ、撮影画像の方向情報（縦撮り、横撮り）を含むカメラ撮影情報等が含まれる。
【００３０】
画像読取部４４にはネガ画像記憶部４６が接続されている。ネガ画像記憶部４６では、画像読取部４４により読み取られた画像コマ１２Ａの画像情報が磁気情報と共に記録されるようになっている。
【００３１】
コントローラ３２は、ＲＡＭ、ＲＯＭ、ＣＰＵ等から構成されており、画像焼付装置１０における各種の処理を実行可能にするために、構成機器の監視、制御を行っている。
【００３２】
コントローラ３２には、ネガ画像記憶部４６及び液晶パネルドライバ３０が接続されている。コントローラ３２では、ネガ画像記憶部４６から焼付対象となる画像情報を抽出すると共に、画像情報を液晶パネル２８の液晶素子に対応させて表示画像を形成するようになっている。ここで後述する画像調整処理が行われた場合には、調整後の画像に対する表示画像が形成される。形成された表示画像は、コントローラ３２により液晶パネルドライバ３０を介して、液晶パネル２８上に表示されるようになっている。
【００３３】
また、コントローラ３２には、キーボード４８及びモニタ５０が接続されている。モニタ５０には焼付対象となっている画像が表示されるようになっており、オペレータはモニタ５０を見ることによって焼付けされる画像を確認することができるようになっている。また、キーボード４８には、図示しない方向指定キー等が配置されており、モニタ５０に表示された画像に対して調整処理を行う領域及び実行される画像調整処理の内容を指定することができるようになっている。
【００３４】
次にコントローラ３２における画像調整処理について説明する。
画像調整処理には、ネガフィルム１２に記録された画像にアスペクト比を変更する変更値ｘを適用することによるアスペクト比変更処理が含まれる。
【００３５】
図３（Ａ）には、ネガフィルム１２に記録された画像の全領域を読み取って形成されたデジタル画像８０が示されている。デジタル画像８０は、画像読取部４４により読み取られた状態の画像であり、図示しないＣＣＤセンサの解像度に依存した画素密度で構成されている。
【００３６】
この画像８０に対して横方向に縮小させるアスペクト比変更値ｘを適用すると、横方向の画素密度に対して一次元の画素密度変換を行って隣接画素との間に画素データが生成されて横方向のみ縮小される。これによりアスペクト比変更の調整処理が行われた調整画像８２が形成される（図３（Ｂ）参照）。
【００３７】
調整画像８２のアスペクト比はａｘ：ｂであり、未処理の画像のアスペクト比を横方向のみを数％程度（ｘ）縮小したアスペクト比となっており、やや縦に細長い画像となる。
【００３８】
アスペクト比の変更は、横方向の変更に用いられる変更値ｘの値を予め設定しておき、画像コマ１２Ａに記録されている画像のサイズの横寸法にのみ変更値ｘを自動的に適用することによって実行される。変更値ｘは、画像コマ１２Ａに記録された本来の像に大きい影響を与えない程度（数％）の値として設定される。
【００３９】
画像調整処理では、縦横の方向判定が行われるようになっている。方向判定は、モニタ５０に表示された画像からオペレータが判断してキーボード４８の方向指定キーの操作に基づいて判定することができるようになっている。
【００４０】
また、画像コマ１２Ａに記録された画像の方向性は、読み取られた画像から顔部分を抽出して、顔部分に連続した胴体部分の方向に基づいて判定することができる。また通常、顔の縦が横より長いという特徴に基づいても抽出することができるようになっている。
【００４１】
顔部分の抽出は、カラーの原画像を多数画素に分割して各画素について赤光、緑光及び青光の３色に分解して測光し、測光して得られたデータから得られた色相値のヒストグラムを使用することにより実行されるようになっている。即ち、得られた色相値のヒストグラムの山から所定範囲内の色相値を持つ画素の領域が判別可能となり、１つの領域内には、所定範囲内の色相値の画素が含まれることになる。コントローラ３２には、予め顔の部分に該当する色相値及び輪郭（正面向きの場合、横向きの場合等）が記憶されており、人物の輪郭と他の部位の輪郭、人物の顔の内部構造と他の部位の内部構造とは明らかに異なるから、各領域の輪郭及び内部構造の少なくとも１つを判断すれば人物の顔か否かを判断することができるようになっている。
【００４２】
これにより、アスペクト比変更値を設定し、調整処理を行う画像が抽出されると、自動的にアスペクト比が変更されて調整処理が行われ、調整後の画像が焼付けされるようになっている。
【００４３】
次に本実施の形態の作用について説明する。
ネガフィルム１２の画像コマ１２Ａに記録された画像は、画像読取部４４において、磁気トラック１６に記録された磁気情報と共に読み取られてデジタル画像情報としてネガ画像記憶部４６に記憶される。
【００４４】
画像焼付装置１０のコントローラ３２が画像の焼付けの指示を受けると、図４に示す画像焼付処理を実行する。
【００４５】
画像の焼付指示を受けると、ステップ１００において、画像コマ１２Ａに対応するｎの値をリセット（０）にしてから、ステップ１０２において、ｎの値をインクリメントする。
【００４６】
ｎの値がインクリメントされると、ステップ１０４において、ｎ番目の画像情報がネガ画像記憶部４６から抽出されて取り込まれる。この際に、コントローラ３２に取り込まれる画像情報には、ネガフィルム１２の画像コマ１２Ａに記録された画像のデジタル画像情報と、磁気トラック１６に記録された調整処理の指示及び画像の方向性（縦撮りか、横撮りか）等の各種の磁気情報とが含まれる。
【００４７】
画像情報が取り込まれると、ステップ１０６において、取り込まれた情報に調整指示があるか否かが判断される。調整指示がない場合には判断は否定されてステップ１１２に移行し、取り込まれた情報に基づいて液晶パネル２８の液晶素子に対応した表示画像が形成される。
【００４８】
一方、調整指示がある場合には判断は肯定されてステップ１０８に移行し、後述するデジタル画像に対する画像調整処理が行われる。これによりｎ番目の画像コマ１２Ａに対するデジタル画像が調整される。
【００４９】
画像の調整処理が終了すると、ステップ１１０において、調整処理後の画像から、液晶パネル２８の液晶素子に対応した表示画像を形成して、ステップ１１４に移行する。
【００５０】
液晶パネル２８の液晶素子に対応した表示画像が形成されると、ステップ１１４において、液晶パネル２８上に表示画像を表示し、ステップ１１６において、液晶パネル２８上に表示された表示画像に対する焼付処理が行われる。即ち、液晶パネル２８上に画像が表示されると、光源２２から光が照射され、色分解フィルタ２６を通過した光が液晶パネル２８上の表示画像を透過し、光源２２の光軸上からの退避位置に配置されたブラックシャッタ３６を通過して、印画紙４０の所定の位置に画像が焼付けされる。ここで、画像の焼付けは、表示画像の成分をＲＧＢの各成分に分解して、色分解フィルタ２６のＲＢＧフィルタ毎に加色露光法で行う。これにより、印画紙４０に画像が焼付けされる。
【００５１】
焼付対象となる画像の焼付けが完了すると、ステップ１１８において、焼付けされた画像コマ１２Ａが最後の画像コマ１２Ａであるか否かが判断される。最後の画像コマ１２Ａでない場合には、判断は否定されたステップ１０２に移行し、ｎの値がインクリメントされて、ステップ１０４において次の画像の情報が取り込まれ、次の画像に対する画像焼付処理が実行される。
【００５２】
焼付けされた画像が最後の画像である場合には、判断は肯定されて、一連の処理を終了する。
【００５３】
次に図５を参照して、取り込まれた画像情報に対する画像調整処理について説明する。なお、画像調整処理として顔部分に基づく人物像の横方向の縮小処理を例に説明する。
【００５４】
画像焼付処理のステップ１０６において調整指示があると判断された場合には、図５に示す画像調整処理ルーチンを実行する。
【００５５】
画像調整処理ルーチンが実行開始となると、ステップ１３０において、画像情報としての磁気情報に調整処理に利用可能なカメラ情報があるか否かが判断される。ここで利用可能なカメラ情報とは方向性情報をいい、画像の横方向を特定することができる横撮り又は縦撮り情報等をいう。カメラ情報がある場合には、判断は肯定されてステップ１３６に移行し、カメラ情報が取り込まれ、ステップ１３８において、カメラ情報の方向性情報から横方向を指示し、ステップ１４０に移行する。
【００５６】
一方、ステップ１３０においてカメラ情報がない場合には判断は否定されてステップ１３２に移行し、方向性判定のための指標として画像から顔部分を抽出する。顔部分は、画素の色相値のヒストグラムに基づく画素領域から、顔部分の特徴的な丸みを帯びた形状及び胴体の結合方向を検出すること並びに肌色を検出することにより抽出される。
【００５７】
顔部分が抽出されると、ステップ１３４において、抽出された顔部分に基づいて横方向が指示される。横方向の特定は、顔部分に連続して胴体の部分が検出された方向に直交する方向又は、顔部分のうち、画像コマ１２Ａの一辺に平行な方向の長さと直交する方向の長さとを比較して小さい方に対応する方向として特定する。横方向が指定されると、ステップ１４０に移行する。
【００５８】
ステップ１４０では、指示された横方向に隣接する画素に対してアスペクト比変更値を用いてアスペクト比を変更する。ここで、指示された横方向に隣接する画素に対してアスペクト比変更値に基づいた一次元の画素密度変換を行う。これにより、横方向に数％縮小された調整画像が形成され、画像調整処理ルーチンを終了し、メインルーチンである画像焼付処理（図４参照）に戻る。
【００５９】
これにより、ネガフィルム１２の画像コマ１２Ａに記録された画像に対して、横方向に縮小され、アスペクト比が変更された画像を自動的に且つ容易に印画紙４０上に焼付けすることができる。
【００６０】
また、アスペクト比が自動的且つ簡便に変更されて得られた画像は、例えばダイエットやウェイトトレーニングのように、現在とは異なる体格になること目標とする場合等に作製されて、広く利用することができる。
【００６１】
本実施の形態では、カメラ情報を用いて又は画像の顔部分を抽出することによって横方向を指示したが、モニタ５０に表示した画像に対してオペレータがキーボード４８からキー操作により横方向を指示してもよい。
【００６２】
また顔の領域の抽出には、色相値に基づくヒストグラムから顔の領域を判断したが、色相値に加えて彩度値のデータを使用して、色相値及び彩度値の２次元ヒストグラムに基づいて顔領域を特定してもよい。これにより、一層確実に顔領域を抽出して、適切に調整処理を行うことができる。
【００６３】
本実施の形態では、アスペクト比の変更を横方向の寸法を縮小方向に変更する変更値ｘを用いて行ったが、変更を行う対象は縦であっても横であってもよく、変更は縮小であっても拡大であってもよい。いずれの変更手段であっても、画像の方向性及び調整の目的に応じて適宜選択することによって、前述と同様の効果を得ることができる。但し、縦方向の寸法を拡大する変更を行う場合には、印画紙４０上の焼付領域の寸法を考慮する必要がある。
【００６４】
また本実施の形態では、画像コマ１２Ａに記録された画像のアスペクト比を横方向に縮小して焼付けしたが、アスペクト比を変更しないように調整処理を行うこともできる。例えば、横方向に縮小する変更値ｘを用いる場合には、変更値ｘにより縮小される分だけ横に広いデジタル画像に対して画像調整処理を行うことによって、調整画像のアスペクト比を維持することができる。
【００６５】
また、本実施の形態では、横方向の画素間距離に対して変更値ｘを用いてアスペクト比を変更する調整を行ったが、調整処理はこれに限定されない。
【００６６】
例えば、指定された領域内の画像に対応する液晶素子の光透過度に対して、一定の透過度変更値を各々適用することによって、一部の液晶素子の光透過度を一律に調整することができる。これにより、透過度変更値を予め設定しておくことによって、自動的に焼付濃度が調整された画像を印画紙４０に焼付けすることができる。
【００６７】
また、調整値のみを設定するだけでなく、調整処理そのものを予め設定することもできる。
【００６８】
例えば、顔部分を抽出した場合に、顔部分の内から更に特定の領域を指定して、指定された領域内の画素に対して空間周波数の高域カット処理を行うことで、肌荒れを目立たなくすることができる。
【００６９】
また、これらの調整処理に加えて、画素密度を変更することもできる。画素密度を粗にすることによって、特定領域の画像に対する、一層ぼかし効果を挙げることができる。
【００７０】
これらの設定された調整処理に基づく画像調整処理は、処理を行う領域が指定された後に、予め設定された変更値又は変更を実行する関数を適用することによって自動的に調整される。
【００７１】
上述した画像調整処理は、単独で実行しても組み合わせ可能な処理を組み合わせて実行してもよく、組み合わせて処理した場合には一層高い調整効果を得ることができる。調整処理の種類の選択は画像読取部４４において行ってもよく、また磁気トラック１６に予め記録しておき、これを読み取ってもよい。
【００７２】
なお、本発明の実施の形態では、デジタル画像表示手段として液晶パネルを用いたが、画像を不連続な画素に分解して表示することができれば他の装置を用いてもよい。例えば、通常のＣＲＴの他に、エレクトロケミカルディスプレイ（ＥＣＤ）、電気泳動ディスプレイ（ＥＰＩＤ）、分散粒子配向形ディスプレイ（ＳＰＤ）、着色粒子回転形（ＰＢＤ）、ＰＬＺＴディスプレイ（ＰＬＺＴ）、デジタルマイクロミラーディスプレイ（ＤＭＤ）等を挙げることができる。
【００７３】
また本発明の実施の形態では、磁気トラック１６が備えられたネガフィルム１２を用いたが、磁気トラック１６が備えられていない通常の１３５フィルムであっても同様に行うことができる。この場合には、コントローラ３２において画像調整処理に利用可能な磁気情報が記録されていないので、画像情報が読み取られた後に焼付けする際にモニタ５０に表示して、オペレータがキーボード４８を操作することによって、処理に必要な情報を入力する。入力された情報に基づいて前記と同様に画像調整処理を行うことができる。
【００７４】
本発明の実施の形態では、画像読取部４４による読み取った画像をネガ画像記憶部４６に記憶して、調整処理を行う際にコントローラ３２により抽出したが、画像読取部４４は、画像焼付装置１０の内部にあっても外部にあっても同様の効果を得ることができる。即ち、ネガフィルム１２をロール状に結合して大量且つ迅速な処理を行うための所謂大ラボにおいて、画像読取部４４を別個の装置として、画像焼付装置１０に提供してもよく、１本のネガフィルム１２をカートリッジ１６から引き出して１本ずつ処理する所謂ミニラボにおいて、ミニラボ自体に画像読取部４４を配設してもよい。
【００７５】
また、本発明の実施の形態では、液晶パネル２８の画像表示面に焼付けする画像を表示して印画紙４０に焼付けしたが、画像表示装置を用いずに、半導体レーザ及びポリゴンミラー等を用いて感光材料に焼付けすることもできる。この場合には、所定の周波数の光を射出可能な単数又は複数の半導体レーザからレーザ光を射出し、ポリゴンミラー等の偏向手段を用いて感光材料上を走査させて画像を焼付けする。ここで調整値を用いて調整処理されたデジタル画像は、レーザの射出間隔及び強度を制御することによって感光材料上に焼付けされる。画像が焼付けされた感光材料は、例えば熱現像処理により現像することができる。これにより、前記同様の効果を得ることができる。
【００７６】
【発明の効果】
以上説明したように本発明によれば、画像調整手段により、予め定められた調整条件を用いて調整処理を行うので、複雑な装置構成を必要とせずに、画像からデジタル画像情報作成手段で作成されたデジタル画像情報に基づく画像から、画素密度を粗に変更、及び空間周波数特性の高域カット処理の少なくとも一方が変更された画像を簡便に感光材料に焼付けすることができる。
【００７７】
また、表示画像形成手段を用いることによって、調整されたデジタル画像を画像表示面に表示して、簡便に感光材料上に焼付けすることができる。
【００７８】
調整条件としてアスペクト比変更値を用いることによって、横方向に拡大縮小又は縦方向に拡大又は縮小された画像を簡便に形成して感光材料に焼付けすることができる。
【００７９】
また、これに加えて顔の部分を自動抽出することにより、調整処理を自動的に且つ簡便に行うことができると共に、顔の部分に対して画素密度又は空間周波数特性を低下させることにより、顔の部分に対する調整処理を自動的に且つ簡便に行うことができる。
【図面の簡単な説明】
【図１】本発明の実施の形態に係る画像焼付装置の概略構成図である。
【図２】本発明の実施の形態に係る画像焼付装置に適用可能なネガフィルムの平面図である。
【図３】本発明の実施の形態に係る画像焼付処理の一例を示した概念図である。
【図４】本発明の実施の形態に係る画像焼付処理を説明するフローチャートである。
【図５】本発明の実施の形態に係る画像焼付処理の調整処理ルーチンを説明するフローチャートである。
【符号の説明】
１０  画像焼付装置
１２  ネガフィルム
１６  磁気トラック
２８  液晶パネル（画像表示手段）
３２  コントローラ（画像調整手段）
４４  画像読取部
４６  ネガ画像記憶部
４８  キーボード
【図１】
0003673008.tif 000002
【図２】
0003673008.tif 000003
【図３】
0003673008.tif 000004
【図４】
0003673008.tif 000005
【図５】
0003673008.tif 000006